(57)【要約】      （修正有）【課題】樹木の苗木がシカ、イノシシ、ウサギ、ネズミなどの野生動物に食されることを防止し、効率よく設置することができる苗木等保護具を提供する。【解決手段】苗木等保護具は、保護ネット１０と、保護ネットを第一側端部１６で支持する支柱２０と、保護ネットと支柱を係止する係止部材３０と、保護ネットを地面に固定する杭４０などを備える。保護ネットは、上端部１１及び下端部１２を有する。支柱は、保護ネットの内周側面を覆う棒状の部材である。上端部は、保護ネットの長手方向に対して、第一側端部から保護ネットの中心軸を挟んで反対側の第二側端部１７に向かって、斜め下方に延びる。下端部は、上端部と略平行である。【選択図】図１
2020184953.tif 000002
【特許請求の範囲】
【請求項１】
縦長筒形状を有する保護ネットと、
前記保護ネットを第一側端部で支持する支柱と、
前記支柱に嵌合して前記支柱と前記保護ネットを係止する係止部材と
を備える苗木等保護具であって、
前記保護ネットの上端部は、前記保護ネットの長手方向に対して、前記第一側端部から前記保護ネットの中心軸を挟んで反対側の第二側端部に向かって、斜め下方に延びることを特徴とする苗木等保護具。
【請求項２】
前記保護ネットの下端部は、前記上端部と略平行であることを特徴とする請求項１に記載の苗木等保護具。
【請求項３】
前記保護ネットは、内側面が外側面よりも平滑であることを特徴とする請求項１又は請求項２に記載の苗木等保護具。
【請求項４】
前記保護ネットの前記下端部は、前記保護ネットの長手方向に対して直角に延びることを特徴とする請求項１に記載の苗木等保護具
【請求項５】
前記支柱の一端が、溝を有し、
前記保護ネットは前記上端部側に穿設され、前記支柱の前記溝に係合する係止孔を有することを特徴とする請求項１から請求項４のいずれかに記載の苗木等保護具。
【請求項６】
前記保護ネットの前記下端部を開口状態に保持し、地面に埋設される杭を有することを特徴とする請求項２又は請求項４に記載の苗木等保護具。
【発明の詳細な説明】
【技術分野】
【０００１】
本発明は、苗木又は若木などの樹木の苗をシカやイノシシなどの野生動物による食害などから保護し、苗木等の成長促進を図る保護具に関する。
【背景技術】
【０００２】
近年、わが国の各地で、シカやイノシシなどの野生動物が、植林された苗木等を食し、苗木等の成長が阻害される食害が多く発生しており、野生動物による食害を防止するための様々な試みがなされている。
【０００３】
例えば、特許文献１には、合成樹脂からなるリング材が上下方向に複数配置され、リング材に筒状のネット材を取り付けて成形されたネット状の苗木保護具が開示されている。上記の苗木保護具は、苗木の周囲に苗木保護具を設置する際、上下方向に引き伸ばして筒形状を保持させて設置することができ、野生動物による食害を防止することができる。
【先行技術文献】
【特許文献】
【０００４】
【特許文献１】特開２０１７−１１２９４０号公報
【発明の概要】
【発明が解決しようとする課題】
【０００５】
しかしながら、運搬車などの車両が立ち入ることができない山肌などでは人力で運ぶ必要があることから、特許文献１の苗木保護具は、リング材が複数配設されているため重量があり、多くの苗木保護具を苗木の植樹場所まで持ち運ぶことは容易ではなく、また、各リング材にネット材が接着されるため、１つの苗木保護具を製作するための手間と時間とコストがかかるという問題があった。
【０００６】
そのため、本発明において、樹木の苗木がシカ、イノシシ、ウサギ、ネズミなどの野生動物に食されることを防止し、軽量で持ち運びがしやすく、製作するための手間、時間及びコストを削減できる苗木等保護具を提供することにある。
【課題を解決するための手段】
【０００７】
本願に開示する苗木等保護具は、保護ネットと、支柱と、係止部材とを備える。前記保護ネットは、縦長筒形状を有する。前記支柱は、前記保護ネットを第一側端部で支持する。前記係止部材は、前記支柱に嵌合して前記支柱と前記保護ネットを係止する。前記保護ネットの上端部は、前記保護ネットの長手方向に対して、前記第一側端部から前記保護ネットの中心軸を挟んで反対側の第二側端部に向かって、斜め下方に延びる。
【０００８】
本願に開示する苗木等保護具において、前記保護ネットの前記下端部は、前記上端部と略平行である。
【０００９】
本願に開示する苗木等保護具において、前記保護ネットは、内側面が外側面よりも平滑である。
【００１０】
本願に開示する苗木等保護具において、前記保護ネットの下端部は、前記保護ネットの長手方向に対して直角に延びる。
【００１１】
本願に開示する苗木等保護具において、溝が前記支柱の一端に形成されている。係止孔は、前記保護ネットの前記上端部側に穿設され、前記支柱の前記溝に係合する。
【００１２】
本願に開示する苗木等保護具において、杭は、前記保護ネットの前記下端部を開口状態に保持し、地面に埋設される。
【発明の効果】
【００１３】
本発明の苗木等保護具によれば、苗木がシカやイノシシなどの野生動物に食されることを防止するために苗木等保護具を設置する際に、軽量で持ち運びがしやすく、設置時間も短縮できて、生産コストも削減できる苗木等保護具を提供することができる。
【図面の簡単な説明】
【００１４】
【図１】本件発明の第一実施形態における苗木等保護具の使用状態での上方から見た斜視図である。
【図２】本件発明の第一実施形態における図１における上部の部分拡大斜視図である。
【図３】本件発明の第一実施形態における図２におけるの分解斜視図である。
【図４】本件発明の第一実施形態における図１における下部の部分拡大斜視図である。
【図５】本件発明の第二実施形態における苗木等保護具の使用状態での上方から見た斜視図である。
【発明を実施するための形態】
【００１５】
以下、本発明に係る苗木等保護具について、添付の図面に基づいて詳しく説明する。なお、以下に説明する実施形態は、本発明を実施するに好ましい具体例であるから、技術的に種々の限定がなされているが、本発明は、以下の説明において特に発明を限定する旨が明記されていない限り、この形態に限定されるものではない。また、図１における上側が上方、下側が下方に相当する。
【００１６】
苗木等保護具１は、山の傾斜面などに設置され、苗木２の外周を縦長筒状の保護ネット１０で覆うことによって、シカ、イノシシ、ウサギ、ネズミなどの野生動物から苗木２を護り、新芽、葉、樹皮などを食す野生動物の食害から苗木等を保護する装置である。そして、図１から図４に示すように、本実施形態の苗木等保護具１は、主として、保護ネット１０と、支柱２０と、係止部材３０を備える。
【００１７】
保護ネット１０は、縦長筒形状であり、上端部１１と下端部１２を有する。上端部１１と下端部１２は開口している。第一側端部１６と第二側端部１７は保護ネット１０の中心軸を挟んで略平行に形成されている。上端部１１は、保護ネット１０の長手方向に対して、支柱２０によって支持される第一側端部１６から保護ネット１０の中心軸を挟んで反対側の第二側端部１７に向かって、斜め下方に延びる。したがって、上端部１１が斜めにカットされた部分については保護ネット１０を軽量に形成できるため、保護ネット１０を１本の支柱２０によって支持することができる。また、苗木２が成長した場合に、上端部１１は斜めにカットされているため開口しやすく、苗木２の成長を妨げることを防ぐことができる。
【００１８】
保護ネット１０の下端部１２は、上端部１１と略平行に形成されている。保護ネット１０の下端部１２は、上端部１１と同様に、保護ネット１０の長手方向に対して斜めに交差しているため、山の傾斜面に苗木を植える場合、傾斜面の角度に沿わせて苗木等保護具１を設置することができる。つまり、山の傾斜面に合わせて苗木等保護具１を設置することができるため、保護ネット１０と地面との間に隙間が生じず、野生動物が隙間を利用して苗木等保護具１を破壊して苗木を食したり、うさぎやネズミなどの小動物が隙間から苗木等保護具１の内部に侵入して苗木を食すことを防ぐことができる。
【００１９】
保護ネット１０の下端部１２は、本実施形態において、上端部１１と略平行に形成されているが、図５に示すように、第二実施形態において、保護ネット１０の中心軸に対して垂直な方向に形成されてもよい。具体的には、苗木を植える場所が平坦な土地である場合、下端部１２も平坦であると保護ネット１０を取り付けやすく、作業効率も良い。
【００２０】
保護ネット１０は、網目を有するラッセル編みによって成形されていることが好ましい。保護ネット１０の編み方は、本目網など種々の編み方の中でも、結節部がなく強度の高いラッセル編みが好ましい。保護ネット１０の網目の大きさは、０．５〜５ｍｍが好ましく、２〜４ｍｍがさらに好ましいが、日光を遮りすぎない程度で、また、干ばつや強光による被害を防ぐことができれば本実施形態の数値に限定されない。
【００２１】
保護ネット１０は、内側面１３と外側面１４を有する。苗木２を囲うように保護ネット１０を設置した場合に、内側面１３は苗木２に面する内部側であり、外側面１４は保護ネット１０の外部側である。上述したように、保護ネット１０は編み物であることから表裏の両面の粗さの違いがあり、より平滑な面が内側に位置するように配している。すなわち、内側面１３は外側面１４よりも平滑に形成されている。このため、苗木２の枝葉が成長して内側面１３に接触しても抵抗が少ないので、苗木が成長したときに枝などが滑りやすく網目から突き出ることを防ぐことができる。
【００２２】
保護ネット１０は、図３に示すように、保護ネット１０の長手方向に対して垂直方向に延びる係止孔１５を有する。係止孔１５は、第一側端部１６における上端部１１近傍に形成されている。本実施形態において、係止孔１５は直線状の孔であるが、他の実施形態において、円形、楕円形、長方形などの形状の孔でもよい。また、係止孔１５を保護強化するため、例えば樹脂製からなる保護部材を係止孔１５の周縁に設けてもよい。
【００２３】
保護ネット１０の大きさは、保護ネット１０の中心軸方向、すなわち、図１における上下方向の長さが１５０ｃｍ〜１９０ｃｍが好ましい。これは、シカが苗木に届かない高さである。また、保護ネット１０の上端部１１および下端部１２を開口させ、円柱状に設置した場合の保護ネット１０の径は、２３ｃｍ〜２９ｃｍが好ましい。この大きさは、苗木が伸び伸びと育つ空間を保持するための径である。したがって、野生動物による苗木の食害が生じない程度に成長するまで苗木２を保護することができる。
【００２４】
図２に示すように、支柱２０は棒状であり、上端面２２は溝２１を有する。溝２１は、上方に開口した略コの字形状の横断面を有する。係止孔１５の周縁を上方より溝２１に案内し、係止孔１５に溝２１の両側の突出部分のうち一方を通すことで、保護ネット１０を支柱２０の上端面２２側に係止することができ、また、係止孔１５を上方へ持ち上げれば取り外すこともできる。このように、保護ネット１０は支柱２０に支持され、支柱２０に着脱可能に取り付けることができる。つまり、支柱２０は、保護ネット１０の内周側面であって第一側端部１６に沿って、保護ネット１０とともに係止部材３０により固定される。また、支柱２０の他端側である下部２３は、鋭角な形状を有しており地中に埋め込まれ、支柱２０が倒れないように固定される。
【００２５】
支柱２０は、安定性をよくするために、保護ネット１０を覆う部分以外は地中に埋め込まれる。したがって、支柱２０の長さは保護ネット１０よりも長い１９０ｃｍ〜２３０ｃｍであることが好ましい。また、支柱２０の材質は、ステンレスなどの非腐食性の高い金属、または軽量な樹脂などが好ましい。支柱２０は、山中では風雨にさらされるため耐久性に優れ、設置場所まで持ち運びが容易な軽量であることが好ましい。
【００２６】
図１、図２に示すように、係止部材３０は、支柱２０と嵌合して、保護ネット１０を支柱２０と挟み込んで係止する。具体的には、支柱２０を覆う保護ネット１０の上端部１１及び下端部１２において、係止部材３０が、支柱２０に嵌合するに際して、保護ネット１０を間に挟んで係止する。係止部材３０は、本実施形態において、断面が略U字状を有し、外面には弾力性を有する略U字状のバネ部材が取り付けられており、容易に保護ネット１０を支柱２０に嵌合することができる。支柱２０の数カ所に所定の間隔を空けて係止部材３０を取り付けることによって、苗木等保護具１を安定して設置することができる。係止部材３０は、取付け又は取外しを容易にすることができ、軽量なため山中へ持ち運ぶ部材として好適である。
【００２７】
杭４０は、図１、図４などに示すように、上部に略逆Ｌ字状の突起部４２を有する棒状であって、周面に上方上向きに突出した複数のくさび部４１を有する。杭４０は、保護ネット１０の下端部１２が口開きの状態になるように、下端部１２に杭４０を打ち込んで地面に固定させる。また、杭４０は、突起部４２が略逆Ｌの字状に形成されているため、保護ネット１０を突起部４２と当接させて地面に押し当てるようにして地面に埋設される。したがって、保護ネット１０の下端部１２がしっかりと地面に固定され、保護ネット１０と地面の間の隙間ができず、野生動物によって容易にめくり上げられることを防ぐことができる。本実施形態において、杭４０は２本使用しているが、２本以上でもよく、山の傾斜具合に応じて杭４０の使用数を調節することができる。
【００２８】
くさび部４１は、杭４０が打ち込まれる方向に抗う方向に向かって突出して形成された平板状である。したがって、一旦地面に埋設された杭４０は容易に抜けることはなく、苗木等保護具１を設置しにくい山の傾斜面でも効果的に設置することができる。本実施形態において、突起部４２は略Ｌ字状であるが、他の実施形態において、杭４０から斜めに突出した棒状であってもよい。
【００２９】
杭４０の長さは、支柱２０の長さから保護ネット１０の長さを差し引いた長さ程度、つまり、２５ｃｍ〜３５ｃｍであることが好ましい。杭４０の材質は、地中で錆びにくい金属製、または軽い樹脂製が好ましい。
【００３０】
以上、図１〜図４を参照して説明したように、本実施形態の苗木等保護具１によれば、苗木等保護具の構成部材を簡素化することによって、人力で運搬せざるを得ないような場所であっても多くの苗木保護具を苗木の植樹場所まで持ち運び易くすることができるとともに、生産コストや、設置の労力を大幅に削減することができ、設置時間も短縮することができるため資材代や人件費を大幅に削減することができる。
【符号の説明】
【００３１】
１・・・苗木等保護具
２・・・苗木
１０・・保護ネット
１１・・上端部
１２・・下端部
１３・・内側面
１４・・外側面
１５・・係止孔
１６・・第一側端部
１７・・第二側端部
２０・・支柱
２１・・溝
２２・・上端面
２３・・下部
３０・・係止部材
４０・・杭
４１・・くさび部
４２・・突起部
【図１】
2020184953.tif 000003
【図２】
2020184953.tif 000004
【図３】
2020184953.tif 000005
【図４】
2020184953.tif 000006
【図５】
2020184953.tif 000007